(57)【要約】【課題】本発明の目的は、細径配管に対して放射能で汚染された配管内部の放射能汚染分布の測定が可能な管内汚染測定装置とその方法及び汚染管の保管方法を提供することにある。【解決手段】本発明は、被測定物である配管の両端を密閉するカバーと、前記配管内に絶縁して設けられた陽極線と、前記配管内を減圧する真空ポンプと、前記減圧後前記配管内に不活性ガスを充填する不活性ガス充填手段と、前記配管と陽極線との間に高電圧を印加する高電圧電源と、前記陽極線に流れるパルス電流を測定する電流測定装置とを備えたことを特徴とする管内汚染測定装置にある。【選択図】　図２
2004077406.tif 000002
【特許請求の範囲】
【請求項１】
被測定物である管の該管内に電離作用を形成させる高電圧発生手段と、前記電離作用によって発生する電流を測定する測定装置とを有することを特徴とする管内汚染測定装置。
【請求項２】
被測定物である管の両端を密閉するカバーと、前記管内に絶縁して設けられた陽極線と、前記管内を減圧する真空ポンプと、前記減圧後前記管内に不活性ガスを充填する不活性ガス充填手段と、前記管と陽極線との間に高電圧を印加する高電圧電源と、前記陽極線に流れるパルス電流を測定する測定装置とを備えたことを特徴とする管内汚染測定装置。
【請求項３】
請求項１又は２において、前記電流を増幅してカウント数を測定する計数器と、該カウント数に基づいて前記配管の放射線量を求める演算器とを備えたことを特徴とする管内汚染測定装置。
【請求項４】
被測定物である管の該管内に電離作用を形成させ該電離作用によって発生する電流の値に基づいて放射線量を求めることを特徴とする管内汚染測定方法。
【請求項５】
被測定物である管内に不活性ガスを充填し、前記管と該管内に設けられた電極との間に高電圧を印加し流れるパルス電流に基づいて前記管の放射線量を求めることを特徴とする管内汚染測定方法。
【請求項６】
請求項４又は５において、前記電流を増幅して計数器によりカウント数として測定することにより前記管の放射線量を求めることを特徴とする管内汚染測定方法。
【請求項７】
被測定物である管内に陽極線を設ける工程、前記管を密閉した後該管内を減圧し不活性ガスを充填する工程、前記管と陽極線との間に高電圧を印加し前記陽極線に流れるパルス電流を増幅して計数器によりカウント数として測定する工程、該カウント数に基づいて前記配管の放射線量を求める工程を順次有することを特徴とする管内汚染測定方法。
【請求項８】
被測定物である内径が５０ｍｍ以下である管の管内の放射線量を求め、該放射線量に基づいて保管管理することを特徴とする汚染管の管理方法。
【発明の詳細な説明】
【０００１】
【発明の属する技術分野】
本発明は、放射能汚染された配管の内面の放射線汚染分布をβ・γ線の測定により評価する新規な管内汚染測定装置とその方法及び汚染管の管理方法に関する。
【０００２】
【従来の技術】
従来、原子炉施設内のコンクリート構造物中に埋設された放射能で汚染された配管内部の放射能汚染分布の測定は、特開平１０−９０４１５号公報に示されているように、口径３インチの配管内に挿入できるＧＭ型サーベイメーターである放射線測定検出器を挿入すると共に、その検出器の検出面に移動可能に遮蔽板を設け、遮蔽板の有無による放射能強度の差に基づいて放射能汚染分布を測定するものである。
【０００３】
【発明が解決しようとする課題】
従来の測定方法では、配管内部に挿入する検出器の外側に取り付けた薄いアルミニウム等の遮蔽板を適宜移動することによって測定していたがサーベイメータの検出器を配管内に挿入するため測定対象の配管の径に制限があり、従って配管の径が検出器の径より小さいと測定することができなかった。
【０００４】
又、放射能で汚染される配管には、構造物以外に付帯設備においては、より細径の配管が多く設けられており、これらの配管の放射線量はこれまで測定手段がなく測定されずに、低放射性レベルの廃棄物として保管されている。
【０００５】
本発明の目的は、これまで測定できなかった細径管に対して放射能で汚染された管内部の放射能汚染測定が可能な管内汚染測定装置とその方法及び汚染管の管理方法を提供することにある。
【０００６】
【課題を解決するための手段】
本発明は、被測定物である管の該管内に電離作用を形成させる高電圧発生手段と、前記電離作用によって発生する電流を測定する測定装置とを有することを特徴とする管内汚染測定装置にある。
【０００７】
具体的には、本発明は、被測定物である管の両端を密閉するカバーと、前記管内に絶縁して設けられた陽極線と、前記管内を減圧する真空ポンプと、前記減圧後前記管内に不活性ガスを充填する不活性ガス充填手段と、前記管と陽極線との間に高電圧を印加する高電圧電源と、前記陽極線に流れるパルス電流を測定する測定装置とを備えたことを特徴とする。
【０００８】
前記電流を増幅してカウント数を測定する計数器と、該カウント数に基づいて前記管の放射線量を求める演算器とを備えたことを特徴とする。
【０００９】
更に、本発明は、被測定物である管の該管内に電離作用を形成させ該電離作用によって発生する電流の値に基づいて放射線量を求めることを特徴とする管内汚染測定方法にある。
【００１０】
具体的には、被測定物である管内に不活性ガスを充填し、前記管と該管内に設けられた電極との間に高電圧を印加し流れるパルス電流に基づいて前記管の放射線量を求めることを特徴とする。
【００１１】
より具体的には、被測定物である管内に陽極線を設ける工程、前記管を密閉した後該管内を減圧し不活性ガスを充填する工程、前記管と陽極線との間に高電圧を印加し前記陽極線に流れるパルス電流を増幅して計数器によりカウント数として測定する工程、該カウント数に基づいて前記管の放射線量を求める工程を順次有することを特徴とする。
【００１２】
又、本発明は、被測定物である内径が５０ｍｍ以下、好ましくは３０ｍｍ以下である管の管内の放射線量を求め、該放射線量に基づいて保管管理することを特徴とする汚染管の管理方法にある。
【００１３】
図１は、本発明における配管状の内面汚染を測定する原理を示すものである。図１に示すように、配管状の穴の中心部に陽極線を挿入し、配管状の穴の両端部を閉止キャップで閉止し、閉止キャップで密閉された配管状の内面空間を真空排気した後、閉止キャップの片側から不活性ガスを供給し一方の閉止キャップから排気し配管内面を不活性ガス雰囲気とする。更に配管状の機器表面に陰極を接続し配管状の中心に挿入した陽極と陰極内に高電圧を印加するものである。そして、この高電圧の印加によって、配管状内面の放射性核種から放出される放射線が配管内の不活性ガスを電離し発生した電子が陽極に移動することにより測定回路にパルス電流又は電圧が発生する。発生したパルス電流又は電圧を増幅して計数器により放射線のカウント数を求めることにより放射線の汚染の程度を求めることができる。ＨＶは高圧電源、Ｃはコンデンサである。
【００１４】
本発明は、配管内部に陽極を挿入し、配管を陰極とし、配管の両端を密閉し、配管内部の空気を不活性ガスで置換するものであるが、配管を絶縁してその内部に陰極を挿入し、配管を陽極としても可能である。不活性ガスには、有機ガス又はハロゲンガスを少量添加した混合ガスを用いるのが好ましい。１気圧で封止又は大気中に流すことにより行われる。
【００１５】
本発明の好ましいやり方によれば、配管内は陽極を挿入するのみであるから針状の陽極を用いれば、小径の配管にも挿入することができ、もって、内径１０ｍｍ以下の小径の配管内部の放射能汚染分布測定を行うことができる。
【００１６】
【発明の実施の形態】
図２は本発明の管内部汚染測定装置の全体構成図である。測定対象物には、放射能で汚染された配管として、構造物以外の付帯設備に用いられたより細径の配管が用いられ、内径３０ｍｍ，長さ約２ｍに切断された小口径配管１の両端にこれを密閉するためのパッキン５を有するゴム又はプラスチックからなるカバー４、１０を取り付け、一方のカバー１０を貫通して管内に延びる白金線からなる陽極線２を設け配管を陰極にするための陰極アース線３を配管１に取り付け陽極、陰極に電圧を加えるための高圧電源１５、測定装置１６を取り付ける。また、配管内の空気と不活性ガスを置換するための真空ポンプ１４、バルブ７、１２、１３、ホース６、１１とガス供給口８、ガス排気口１７を取り付ける。陽極線２は、配管１の中心に配置されるように絶縁性プラスチックスからなるスペーサー１８によって支持される。
【００１７】
次に動作を示す。測定対象の配管１に白金線からなる陽極線２を挿入する。また、測定対象物の両端に密閉するためのゴム又はプラスチックスからなるカバー４、１０を取り付け、カバーには密閉度を上げるためゴム又はプラスチックスからなるＯリングのパッキン５を取り付ける。さらに、真空ポンプ１４によって配管内を高真空になるように減圧した上でバルブ１２を閉める。その後バルブ７を開き配管内部に不活性ガスを注入しバルブ１３を開き残った空気を追い出し、配管内部が不活性ガスで充満されればバルブ７、１３を閉める。最後に高圧電源１５と陰極アース線３によって配管自体を陰極とし、陽極と陰極との間に電圧を加えることにより配管状内面の放射性核種から放出される放射線が配管内の不活性ガスを電離し発生した電子が陽極に移動することにより測定回路にパルス電流が流れ、発生したパルス電流を増幅して計数器に放射線のカウント数として測定するものである。配管自体がサーベイメータの検出器と同じ原理になり、測定装置によって測定される。
【００１８】
図３は図２カバー４を取り外した配管をその側面から見た側面図である。上記の方法で陰極となった配管１に陽極線２が接触しないようにプラスチックスの絶縁物からなるスペーサー１８を取り付ける。スペーサー１８は、一定の間隔で配置され、断面で十字形状を有し、板状又は棒状で、その中心に陽極線２の挿入孔を有する。
【００１９】
図２に示すように、被測定物である配管１内には針状の陽極線２が挿入されるのみであるから、陽極線２の外径は数ｍｍとすることができ、そのため配管１の内径は１０ｍｍ程度の細いものまで汚染分布の測定が可能となる。
【００２０】
又、放射能で汚染される配管として、構造物以外の付帯設備に用いられた配管について、これらの配管の放射線量を測定することにより、測定された放射性レベルに応じて保管期間を設定して保管を行うことができるものである。
【００２１】
更に、本実施例によれば、配管内部だけの放射能汚染分布測定評価に留まらず、足場を組むために使用された鉄パイプなどの内部の放射能汚染分布測定にも利用することができる。更に、陽極に一定の間隔でスペーサーを取り付けていることにより測定対象の配管がある程度曲がっていて挿入された陽極が曲がったとしても、陰極となった配管との距離を一定に保つことができるため精度が変わることなく測定が可能となる。
【００２２】
【発明の効果】
本発明によれば、これまで測定できなかった細径配管に対して放射能で汚染された配管内部の放射能汚染測定が可能な管内汚染測定装置とその方法及び汚染管の管理方法を提供することができる。
【図面の簡単な説明】
【図１】本発明の管内汚染測定装置における測定の原理を示す構成図である。
【図２】本発明の管内汚染測定装置の全体構成図である。
【図３】図２のカバーを取り外した左側側面図である。
【符号の説明】
１…配管、２…陽極線、３…陰極アース線、４、１０…カバー、５…パッキン、６、１１…ホース、７、１２、１３…バルブ、８…ガス供給口、９…不活性ガスボンベ、１４…真空ポンプ、１５…高圧電源、１６…測定装置、１７…ガス排気口、１８…スペーサー。
【図１】
2004077406.tif 000003
【図２】
2004077406.tif 000004
【図３】
2004077406.tif 000005